(57)【要約】使用者が手で持つことなく、少なくとも機能的デバイスを操作するアパレルのシステムを提供する。システムは、アパレルに組込まれ、かつ、機能的デバイスと通信可能に接続される少なくともコミュニケータ、機能的デバイスの操作を制御するアパレルに組込まれた少なくともコントローラ、ならびに、機能的デバイス、コミュニケータ、コントローラ、または、これらの組合せの少なくとも１つと着脱自在に接続するアパレルに組込まれた少なくともコネクターを有する。コミュニケータ、コネクター、コントローラ、機能的デバイス、または、これらの組合せの少なくとも１つは実質的に耐水性で、かつ、アパレルと一緒に洗濯可能である。【選択図】図３Ａ
2014509352.tif 000002
【特許請求の範囲】
【請求項１】
コミュニケータ、コントローラ、機能的デバイス、またはこれらの組合せの少なくとも１つは実質的に耐水性で、かつ、アパレルと一緒に洗濯可能であり、
システムは通信、健康モニタリング、学習、エンターテイメントおよび喜びを推進し得る、少なくともアパレルに組込まれ、かつ、
機能的デバイスと通信可能に接続されるコミュニケータ、
機能的デバイスの操作を制御するアパレルに組込まれた少なくとも１つのコントローラ、ならびに、
機能的デバイスの少なくとも１つ、コミュニケータ、コントローラ、または、これらの組合せの着脱自在に接続するアパレルに組込まれたコネクターを有する、
使用者が手で持つことなく、少なくとも１つの機能的デバイスを操作するアパレルのシステム。
【請求項２】
機能的デバイスは、携帯電話、ポータブルメディアプレヤー、ＭＰ-３プレイヤー、ＭＰ-４プレイヤー、ｉ−ｐａｄ、ＣＤプレイヤー、ＤＶＤプレイヤー、タブレットＰＣ、ＰＤＡ、メディアプレイヤー、ラジオ、リアルオーディオ、ＲＴＭプレイヤー、ミニディスクプレイヤー、カセットプレイヤー、衛星ラジオ、ＧＰＲＳ、ブルートゥース、ソーラ式充電器、Ｗｉ−Ｆｉ、カメラ、パーソナルアシスタント、ＧＳＭフォンアダプター、ユニバーサルリモートコントロール、ＶｏＩＰモード、モニター、ソトアレージ、デジタルブック、ブレイントレイナー、ハビットビルダー、運動トラッカー、プロジェクトマネージメント、温度コントローラ、言語トレイナー、ゲームプレイング、テキストブック、オーディオリコーディング、生産効率ワークウエアー、または、これらの組合せの少なくとも１つを含む、請求項１に記載のシステム。
【請求項３】
健康パラメータは、脈拍数、血圧、体温、体重、メモリー、肥満度、カロリー、および心臓の少なくとも１つを含み、モニターは、少なくとも健康パラメータについて追跡、記録、および促進を可能にする、健康トラッカーの少なくとも１つを含む、請求項２に記載のシステム。
【請求項４】
コミュニケータは、組込型で可撓性の洗濯可能スピーカ、組込型洗濯可能なイヤフォン、少なくとも洗濯可能なマイクロフォンまたはこれらの組合せを含む、請求項１に記載のシステム。
【請求項５】
コントローラは、スキップ、早送り、巻き戻し、受信許可、受信拒否、マルチメディア送信、ブルートゥース接続、Ｗｉ−Ｆｉ、メディア記録、ゲーム開始、モバイルアプリケーション操作、ボイス制御、電源オン、電源オフ、メディア送信停止、メディア送信開始、メディア送信中断、コールドロップ、リダイアル、ビデオプレイ、ボイスダイアル、消音、音楽選択、音響効果選択、音量制御、ジェスチャー制御ボタン、スイッチ、および機能を少なくとも１つ含む、請求項１に記載のシステム。
【請求項６】
コネクターは洗濯可能なメディアジャック、洗濯可能な接続ワイヤー、および洗濯可能な接続スイッチの少なくとも１つを含む、請求項１に記載のシステム。
【請求項７】
アパレルは上着、下着、インナー服、またはこれらの組合せの少なくとも１つを含む、請求項１に記載のシステム。
【請求項８】
少なくとも組込型洗濯可能なコネクターは、洗濯可能なデバイス、洗濯可能なスピーカ、洗濯可能なヘッドフォーン、洗濯可能なマイクロフォン、または、これらの組合せの少なくとも１つと、アパレルを着る使用者により洗濯可能なデバイスを操作する洗濯可能なオペレータとが接続されるように設け、
アパレルの適切な場所に組込んだ少なくとも洗濯可能なスピーカ；
洗濯可能なマイクロフォンおよび洗濯可能なスピーカの少なくとも１つと通信可能に接続された少なくとも１つの洗濯可能なイヤフォン；
アパレルで洗濯可能なデバイスを管理と操作をするために使用者からの入力を受信する、アパレルに組込まれた少なくとも１つの洗濯可能なコントローラ；
少なくとも使用者の健康を通信可能にモニターするアパレルに組込まれた少なくとも１つのモニターを有する、
通信、エンターテイメント、喜び、ならびに健康モニタリング用の少なくとも組込型洗濯可能デバイス付きアパレル。
【請求項９】
コントローラは、スキップ、早送り、巻き戻し、受信許可、受信拒否、メディア送信停止、メディア送信開始、メディア送信中断、マルチメディアメッセージ送信、ブルートゥース接続、Ｗｉ−Ｆｉ、メディア記録、ゲーム開始、モバイルアプリケーション操作、ボイス制御、電源オン、電源オフ、コールドロップ、リダイアル、ビデオプレイ、ボイスダイアル、消音、音楽選択、音響効果選択、音量制御、ジェスチャー制御スイッチ、ボタン、機能、または、これらの組合せの少なくとも１つを含み、電子デバイスの制御を設ける、請求項８に記載のアパレル。
【請求項１０】
少なくとも洗濯可能なデバイスを保持し、かつ、使用者のポケットから落下しないようにする、磁気クロージャ付きの少なくとも防水リテーナを有する、請求項８に記載のアパレル。
【請求項１１】
好適な場所は、上着、下着、インナー服、または、これらの組合せの少なくとも１つにある位置を含む、請求項８に記載のアパレル。
【発明の詳細な説明】
【技術分野】
【０００１】
本発明は一般に組込型デバイス付き衣類に関し、特に、使用者がデバイスを手に持たないで、より実用的で、より効率的で、費用効果の高い、および環境にやさしい方法で、通信、エンターテイメント、学習、健康モニタリングに関する、少なくとも組込型洗濯可能なデバイス付きアパレル用システムに関する。
【背景技術】
【０００２】
技術進歩は人々の生活をシンプルに、便利に、効率的に、迅速にしてきた。この生活における迅速性がゆえに、通信、エンターテイメント、学習、および健康モニタリング分野の技術がオンデマンドの可用性を必要としている。
【０００３】
通信、エンターテイメント、学習、健康モニタリング分野については、市場で多くの種類の装置の入手が可能である。使用の便宜のために電子装置を衣類に含める／組込む研究がなされている。
【０００４】
先行技術では、衣類に組込む多くの技術を開示している。例えば、特許文献１は、スピーカ機能を付けた衣服を開示している。この衣服は衣類、袋ならびにエレクトリック・スピーカを含んでいる。ここで、衣服に配置される袋は、吸音層を含んでいる。袋に配置されるエレクトリック・スピーカは、第１の方向および第２の方向に同時に音を出すものである。
【０００５】
特許文献２は、スピーカを耳の近くに配置しているが、耳道への挿入片、または周囲の音を抑え、あるいは、低減する耳あては含んでいない、装着式パーソナル音響伝達装置を開示している。
【０００６】
ただし、先行技術は、例えば多くのデバイスを含めたジャケットなどのように、電子装置を衣類に含める多くの技術を開示している。しかしながら、通常の洗濯の方法では電子部品に損傷を与えることが多く、衣類の洗濯が可能かという点から、これら技術の質、機能、およびセキュリティーは制限されるものである。また、通信、エンターテイメント、学習、および健康モニタリング分野で、組込型洗濯可能な電子装置付きの衣類／アパレルのシステムおよび方法について、先行技術の開示はない。
【０００７】
電子装置を組込んだ通常の衣類の本来的な欠点を考えると、安全で、より実用的で、より効率的で、費用効果の高い、環境にやさしい方法で、通信、エンターテイメント、学習、および健康モニタリング分野に関する、組込型洗濯可能な方法付きのアパレルまたは衣類を提供することは依然として懸念が残る。
【先行技術文献】
【特許文献】
【０００８】
【特許文献１】米国特許公開第２００９０１６１８９９号明細書
【特許文献２】米国特許公開第２００９０１２３０００号明細書
【発明の概要】
【発明が解決しようとする課題】
【０００９】
電子装置を組込んだ通常の衣類の本来的な欠点を考え、本発明は、一般的に、先行技術の長所を取り入れ、その欠点を克服し、より実用的で、より効率的で、費用効果の高い、環境にやさしい方法で、組込型洗濯可能な通信、エンターテイメント、学習、健康モニタリングの方法および他の電子装置の少なくとも１つが付いたアパレルまたは衣類のシステムと方法を提供するのが目的である。
【課題を解決するための手段】
【００１０】
一態様では、本発明は、使用者の手で持つこと無く、少なくとも１つの機能的デバイスを操作できるアパレルのシステムを提供する。このシステムは、アパレルに組込まれ、かつ、機能的デバイスと通信可能に接続される少なくともコミュニケータ、機能的デバイスの操作を制御するアパレルに組込まれた少なくともコントローラ、ならびに、機能的デバイス、コミュニケータ、コントローラ、またはこれらの組合せの少なくとも１つと着脱自在に接続するアパレルに組込まれた少なくともコネクターを有する。コミュニケータ、コントローラ、機能的デバイス、またはこれらの組合せの少なくとも１つは実質的に耐水性である。かつ、システムは通信、健康モニタリング、学習、エンターテイメントおよび喜びを推進し得るものである。
【００１１】
一態様では、本発明は、通信、エンターテイメント、喜び、ならびに健康モニタリング用の少なくとも組込型洗濯可能なデバイス付きアパレルを提供する。アパレルには、アパレルの適切な場所に組込んだ少なくとも洗濯可能なスピーカ、洗濯可能なマイクロホンおよび洗濯可能なスピーカの少なくとも１つと通信可能に接続された少なくとも１つの洗濯可能なイヤホン、アパレルで洗濯可能なデバイスを管理と操作をするために使用者からの入力を受信する、アパレルに組込まれた少なくとも１つの洗濯可能なコントローラ、少なくとも使用者の健康を通信可能にモニターするアパレルに組込まれた少なくとも１つのモニタ−を有する。少なくとも組込型洗濯可能なコネクターは、洗濯可能なデバイス、洗濯可能なスピーカ、洗濯可能なヘッドホン、洗濯可能なマイクロフォン、またはこれらの組合せの少なくとも１つと、アパレルを着る使用者により洗濯可能なデバイスを操作する洗濯可能なオペレータとが接続されるように設ける。
【００１２】
これらは、本発明を特徴づける新規性に関する各特徴とともに、本発明の他の様態と併せ、本開示の一環である詳細な説明に特定記載されている。本発明、運転上の利点、使用した場合に得られる具体的な目標のより良い理解のために、例示的な実施形態である、本発明の添付の図面および記載事項を参照する。
【図面の簡単な説明】
【００１３】
本明細書は本発明を特に指摘し、明確に請求する請求項で完結しているが、本発明の明示的に開示された実施形態では、同類の参照数字は同一の要素を表し、添付の図を用いた以下の詳細な説明から十分理解されると考えられている。以下の図および詳細な説明は、明示的に開示された実施形態の単なる例示を意図するものであり、添付の特許請求の範囲の範囲を限定することを意図するものではない。
【００１４】
【図１】本発明の実施形態に基づき、使用者の手で持つことなく、少なくとも１つの機能的デバイスを操作するアパレルのシステムを表す図。
【図２】本発明の実施形態に基づき、通信、エンターテイメント、学習、健康モニタリング分野のアパレルを表す図。
【図３Ａ】本発明のもう１つの実施形態に基づき、組込型デバイス付きアパレルの例示的システムを表す図。
【図３Ｂ】本発明のもう１つの実施形態に基づき、組込型デバイス付きアパレルの例示的システムを表す図。
【図３Ｃ】本発明のもう１つの実施形態に基づき、組込型デバイス付きアパレルの例示的システムを表す図。
【００１５】
同類の参照数字は、本発明を示す複数の図において同一の部分を言及する。
【発明を実施するための形態】
【００１６】
例示の目的で詳細に示した本発明の実施形態には、多くの変形、構造、デザインがなされる。しかしながら、本発明は、ここで示し、記載した通信および健康モニタリングの特定のシステムまたは方法に限らないことを強調しておく。一方、本発明の原則が多くの通信および健康モニタリング、ならびに、構造配列に使用されうるが、当業者であれば、本発明の基本概念から逸脱することなく、本発明の他の多くの実施形態が可能であることを認識されよう。状況により、または、便宜的に、種々の省略、等価物の置換が考えられる場合でも、本発明は、かかる代替物、修正物、等価物を、本発明の範囲内に合理的に包含するものとし、対象とするものであり、また、そのような仕事も請求項の精神、または範囲から逸脱することなしに、本発明の範囲内に該当することが理解される。
【００１７】
説明のためになされる以下の記載において、多くの具体的詳細は本発明の十分な理解を与えるために示すものである。しかし、本発明が、これらの具体的詳細なしに実施し得ることは当業者に明白である。
【００１８】
本明細書において、「複数」という用語は品目の１つ以上を言うが、構成要素を単数名詞で記載している場合は、その数量を限定するのではなく、１つ以上その事項が存在する可能性を示唆するものである。本明細書において、「衣類」、「アパレル」、「衣服」は相互に入れ替えて使用され得る。また、「システム」という用語は、「機械」、「デバイス」、「装置」を含む。
【００１９】
「オーディオデバイス」、「ビデオデバイス」、「オーディオプレイヤー」、「ビデオプレイヤー」、「メディアシステム」、および「メディアデバイス」という用語は同一物を表し、本明細書では相互に入れ替えて使用され得る。メディアデバイスは、メディアコンテンツの通信が可能なデバイスであり得る。メディアコンテンツは、オーディオ、ビデオの少なくとも１つ、またはオーディオおよびビデオの両方を含み得る。また、「通信」という用語は表示を含む。機能的デバイスは電子デバイスおよび非電子デバイスの少なくとも１つを含む。
【００２０】
本発明の実施形態に基づき、より実用的で、より効率的で、費用効果の高い、安全で、環境にやさしい方法で、通信、エンターテイメント／喜び、および健康モニタリングに関する、組込型洗濯可能な手段または電子装置付きのアパレル用システム／衣類の効果的システムおよび方法を提供する。
【００２１】
図１は、本発明の実施形態に基づき、使用者の手に持たないで、少なくとも機能的デバイス２２を操作するアパレル１１のシステム１０を示す。このシステムは、少なくともアパレル１１に組込まれ、かつ、機能的デバイス２２と通信可能に接続されるコミュニケータ１２と、少なくとも機能的デバイス２２の操作を制御するアパレル１１に組込まれた少なくとも１つのコントローラ１６と、機能的デバイス２２の少なくとも１つ、コミュニケータ１２、コントローラ１６、またはこれらの組合せと着脱自在に接続するアパレル１１に組込まれたコネクター１４とを有する。システム１０は、便利に、かつ、オンデマンドで、通信、健康モニタリング、学習、エンターテイメントおよび喜びを推進し得る。
【００２２】
図２は、通信、エンターテイメント、喜び、および健康モニタリング用の少なくとも組込型洗濯可能なデバイスから成るアパレル１１を示す。洗濯可能なデバイスは、アパレル１１の適切な場所に組込んだ洗濯可能なスピーカ１２ａ（「マイク」とも呼ばれる）の少なくとも１つと、少なくとも洗濯可能なスピーカ１２ａと通信可能に接続された少なくとも洗濯可能なイヤホン１２ｂ（「ヘッドホン」とも呼ばれる）と、アパレル１１で機能的デバイス２２（図１に示す）を管理および操作をするために使用者からの入力を受信し、アパレル１１に組込まれた少なくとも洗濯可能なコントローラ１６とを含む。
【００２３】
少なくともモニター２２ａは、使用者の少なくとも健康をモニターするアパレル１１と通信可能に接続される。少なくとも組込型洗濯可能なコネクター１４（図１に示す）は、アパレル１１を着用する使用者による洗濯可能なデバイスの操作と管理のため、洗濯可能なヘッドホンまたはイヤホン１２ｂ、洗濯可能なマイクロホンまたはスピーカ１２ａ、またはこれらのコントローラ１６との組合せの少なくとも１つと接続するように設けられる。アパレル１１に組み込んだコントローラ１６は、アパレル１１を通じて機能的デバイス２２を制御および操作するために、使用者からの入力を受信する。
【００２４】
本発明の実施形態に基づき、機能的デバイス２２は、携帯電話、ポータブルメディアプレヤー、ＭＰ-３プレイヤー、ＭＰ-４プレイヤー、i−ｐａｄ、ＣＤプレイヤー、ＤＶＤプレイヤー、タブレットＰＣ、ＰＤＡ、メディアプレイヤー、ラジオ、リアルオーディオ、ＲＴＭプレイヤー、ミニディスクプレイヤー、カセットプレイヤー、衛星ラジオ、ＧＰＲＳ、ブルートゥース、ソーラ式充電器、Ｗｉ−Ｆｉ、カメラ、パーソナルアシスタント、ＧＳＭ（登録商標）フォンアダプター、ユニバーサルリモートコントロール、ＶｏＩＰモード、モニター、ソトアレージ、デジタルブック、ブレイントレイナー、ハビットビルダー、運動トラッカー、プロジェクトマネージメント、温度コントローラ、言語トレイナー、ゲームプレイング、テキストブック、デジタルブック、オーディオリコーディング、生産効率ワークウエアー、または、これらの組合せの少なくとも１つを含む。
【００２５】
機能的デバイス２２は、着脱自在にアパレル１１に装着し得る。また、別の方法としては、機能的デバイス２２は、アパレル１１に、または本明細書に示されたものに恒久的に装着し得る。アパレル１１には、メモリー付き記録デバイス、例えば、使用者が毎日、週間、月間の計画を書き込むパーソナルアシスタントを埋め込めて、指定された事柄を即座にタイムリーに決められた時間に自動的に知らせることができる。
【００２６】
ソーラ式充電器は、機能的デバイス２２がアパレル１１に接触／接続されると、自動的に機能的デバイス２２を太陽光で充電するように設ける。Ｗｉ−Ｆｉは、システム１０および２０にＷｉ−Ｆｉ機能を付けるように設けられる。デジタルレコードカメラは、画像およびビデオを記録ならびに撮影するように設ける。パーソナルアシスタントは、実際のパーソナルアシスタントのように、システム１０および２０が指定された事柄を即座にタイムリーに決められた時間に自動的に使用者に知らせ、計画を遂げるように設ける。ユニバーサルリモートコントロールは、ポケット内またはアパレル１１にある全てのデバイスを制御するために設ける。
【００２７】
ＧＳＭ（登録商標）フォンアダプターは、システム１０および２０にアパレル１１を通じて全てのモバイル機能およびアプリケーションが全て便利に使えるように設ける。ＶｏＩＰモードは、アパレル１１を通じて、スカイプ、ジャンボなどの無料または有料のＶｏＩＰ通信設備を提供することができる。ＶｏＩＰ発信者は、低価格のＶｏＩＰ ＧＳＭ（登録商標）オペレータネットワークを選ぶ選択肢を使用者へ提供するために、個々のネットワークオペレータの長所および経費情報の提供が可能である。
【００２８】
本発明の実施形態に基づき、モニター２２ａは、所定の時間間隔で少なくとも健康パラメータについて追跡、記録、および促進を可能にする、健康トラッカーの少なくとも１つを含む。健康パラメータは、脈拍数、血圧、体温、体重、メモリー、肥満度、カロリー、心臓などの情報の少なくとも１つを含む。健康トラッカーは、肥満度の記録を保管し、かつ、体が必要とする最低運動量を提案し、時々、これを促進する。体重制御モードに事前に記録しておけば、減量、体重などの制御に役立つ。
【００２９】
アパレル１１には、人間の記憶の強化に役立つ、事前に記録してあるメモリービルディングモードを埋め込め得る。ベースライン評価から開始し、第１のシステムを学習すると、使用者、例えば、学生は３００％以上も大きく平均点を向上させることができる。脈拍数モニターには、心拍数モニタリングシステムで心拍数の記録を取り、毎秒ごとの心拍数をモニターし、データを保存し、手動で入力された心拍数の最大値と最小値に基づいて、異常またはリスクを使用者に警告するデバイス２２を埋め込み得る。
【００３０】
本発明の実施形態に基づき、体温モニターは、使用者の体温を記録するデバイスを埋め込み得る。アパレルの縫製には、特定の繊維を設ける。繊維は周囲の温度により、内部温度を調整することが可能である。メモリービルダーには、メモリーを強化するメモリービルダープログラムを埋め込み得る。肥満度は、体が必要とする最低限の運動量を提示する。カロリー制御メータは、特定時間のカロリー燃焼を記録する。心拍数モニターには、使用者の体温を記録するデバイスを埋め込み得る。
【００３１】
本発明の実施形態に基づき、ブレイントレイナーは、人間の脳が集中思考するように設ける。また、習慣ビルダーモジュールに基づいて、禁煙などの特定の習慣を実施するのを助ける、メディア、例えば、オーディオをアパレル１１に埋め込み得る。習慣ビルダーには、事前に記録してある習慣ビルディングプログラムがある。
【００３２】
本発明の実施形態に基づき、運動トラッカーは、使用者の運動または体操の記録を取るために、アパレル１１に埋め込み得る。記録された運動情報は、コンピュータに再生され、ダウンロードされ得る。プロジェクト管理（ガントチャート）は、プロジェクトを記録し、適切な時期に完了させるプログラムを行う。
【００３３】
本発明の実施形態に基づき、天候条件および気温により、アパレルは温度を調節する。
【００３４】
本発明の実施形態に基づき、システム１０または２０には、語学学習、ゲーム遊び、書籍保存、およびオーディオ−ビデオの記録機能を提供することができる。アパレル１１には、異なる学校の学年別および教科別教科書を埋め込み得る。アパレル１１には、アパレル１１に組込んだマイクを通じて講義、演説、および会話を記録できるボイスレコーダを埋め込み得る。
【００３５】
本発明の実施形態に基づき、コミュニケータ１２は、組込型で可撓性の洗濯可能なスピーカと、少なくとも洗濯可能なマイクロホンまたはマイクに連結した組込型洗濯可能なイヤホンとの少なくとも１つを含む。コミュニケータ１２は、音楽、解説、話し合い、映画、ゲーム等のオーディオおよびビデオ通信を容易にし得る。
【００３６】
本発明の実施形態に基づき、コントローラ１６は、スキップ、早送り、巻き戻し、通話許可、通話拒否、メディア送信停止、メディア送信開始、メディア送信中断、コールドロップ、リダイアル、オーディオプレイ、マルチメディアメッセージ送信、ブルートゥース接続、Ｗｉ−Ｆｉ、メディア記録、ゲーム開始、モバイルアプリケーション操作、ボイス制御、電源オン、電源オフ、ビデオプレイ、ボイスダイアル、消音、音楽選択、音響効果選択、音量制御、ジェスチャー制御ボタン、スイッチ、機能、またはこれらの組合せの少なくとも１つを含み、電子デバイスの制御を設ける。ジェスチャー制御機能は、埋め込まれたジェスチャー技術で作動するデバイスを制御することが可能である。
【００３７】
本発明の実施形態に基づき、コネクター１４は洗濯可能なメディアジャック、洗濯可能な接続ワイヤー、および洗濯可能な接続スイッチの少なくとも１つを含む。
【００３８】
本発明の実施形態に基づき、アパレル１１は、ジャケット、シャツ、Ｔ−シャツ、ズボン、帽子、ネクタイ、手袋、靴下、セーター、肌着、リストバンド、下衣、上衣、またはこれらの組合せを含み得る。アパレル１１は、多種の形、原料から構成され得る。
【００３９】
本発明の実施形態に基づき、アパレル１１、コミュニケータ１２、可撓性のスピーカ１２ａ、イヤフォン１２ｂ、コネクター１４、コントローラ１６、機能性デバイス２２、又はこれらの組合せの少なくとも１つは、実質的に耐水性であり、損傷される事無く洗濯できる。
【００４０】
本発明の実施形態に基づき、アパレル１１、コミュニケータ１２、可撓性のスピーカ１２ａ、イヤホン１２ｂ、コネクター１４、コントローラ１６、機能性デバイス２２、又はこれらの組合せの少なくとも１つは、ワイヤレス通信が可能であり得る。また、他の好適な構成も当業者には容易に明白であろう。
【００４１】
本発明の実施形態に基づき、アパレル１１は、機能性デバイス２２、コントローラ１６、コミュニケータ１２、コネクター１４のうち少なくとも１つ保持し、かつ、使用者のポケットから落下しないようにする、磁気クロージャ付きの少なくとも防水リテーナを有する。リテーナは、使用者が自身の機能性デバイス２２、例えば、ＭＰ３プレイヤー、ｉ-ｐａｄ、ｉ-ｐｈｏｎｅ、ＣＤプレイヤー、ラジオ等にプラグを差し込めるように、コネクター１４が付いた隠されたポケットを含む。
【００４２】
本発明の実施形態に基づき、また、システム１０または２０は、使用者が好むデジタルデバイスを便利に、個別に保存することで、使用者の接続された状態を維持し得る。戦略的に配置されたポケットは、十分な大きさがあり、使用者の携帯電話、ポータブル音楽デバイス等を入れることができる。また、コントローラ１６、つまり、制御ボタン／スイッチ、およびオーディオジャックは、種々の固定化手段で安全に保たれている。いくつかの実施形態において、固定化手段は、耳介に弾性的に固定したクリップ、または、耳介に開けた穴に係合したスタッドなどで、人の耳の近傍の構造物にイヤホンを確保した手段から成る。
【００４３】
少なくとも好適な場所は、上着、下着、インナー服、またはこれらの組合せにある位置を含む。例えば、上着における位置は、スタンドカラー、ぶら下げループ、トップカラー、ショルダーライン、袖山、領かむ（ノッチ）、義眼、袖ぐり、胸袋、アイレット、下前（左前身ごろ）、前ひだ、リブのひだ、大袖、カフスボタン、袖口、シャツ足、止口角丸、襟まで口、小袖、フラップ、ゼロ財布、前ボタン、見返し（右前身ごろ）、内胸ポケット、折り線、ラペル、衿縫い線、ライニングセンター腰板、後枚の裏地、領面、総肩、後アームホール、半ベルト、バック裾あけ、脇縫い、背中中央部縫い目、後ヨークの少なくとも１つを含む。
【００４４】
下着における位置は、ズボンのベルト、ズボンのベルトボタン、ボタンタブ、ズボン腰裏、ベアラーボタン、延長したタブ、レフトフライ、フライボトムホール、フロントフライ、シック、側の骨、わき縫い、股下縫い、膝の補強、裾周り、ターンナカッフ、貼り足条、折り目線、前ボタン、ライトフライ、スラントわきポケット、ウェイスト プリーツ、ウオッチポケット、ベルトループ、 ヒップポケット、小股縫い、腰板、ズボンのベルト、サイドオープニング、インバーティド・プリーツ、センターシーム、ウエスト・ダーツ、前ヨーク、縫い、縁飾り、スラント箱ポケット、ベルトループ、またはこれらの組合せの少なくとも１つを含む。
【００４５】
また、衣類における位置は、裏地、肩縫い、袖ぐり、胸箱ポケット、下前、左前身ごろ、フライボトムホール、割り口、フロントポイント、芯材、ライトフェイシング、ボタン、腰箱ポケット、わき縫い、 胸ダーツ、見返し、右前身ごろ、調整可能な腰タブ、後ダーツ、背中中央部縫い目、またはこれらの組合せを少なくとも１つ含む。
【００４６】
機能的デバイスは、アパレル１１の所望部分に取り付けられ得る。この位置では、機能的デバイス２２の重量と寸法は、使用者を煩わさず、活動を妨げにくい。しかしながら、機能的デバイス２２は、上部スリーブあたりに限定することなく、アパレル１１の他の多くの場所に位置することができることが理解される。
【００４７】
請求項１記載のシステムは、マイクロホンまたはマイクのみが付いた洗濯可能なイヤホンまたはヘッドホン、マイク付きの受話器、マイク付きの２つの洗濯可能なスピーカおよび１つの受話器、マイクおよび１つのスピーカ付きの２つの受話器、またはこれらの組合せの少なくとも１つを含む。
【００４８】
図３Ａ〜３Ｃは、本発明の実施形態に基づき、組込型機能的デバイス２２を付けたアパレル１１の例示的なシステムを表す。システムは、衣服、一対の洗濯可能なスピーカ、一対の洗濯可能なイヤホン、洗濯可能なオーディオジャック、コントローラ１６、機能的デバイス２２等を含む。
【００４９】
本発明の実施形態に基づき、マイク付きスピーカ１２ａおよびヘッドホン１２ｂは、携帯電話、ポータブルオーディオプレイヤーまたは他の通信デバイスと接続させるために、３.５ＭＭまたは適切な寸法／大きさのオーディオジャックを通じ洗濯可能な回路およびワイヤー経由で制御スイッチ１６に接続される。洗濯可能な制御ボタン／スイッチにより、使用者は繊維を通して、例えば、迅速に通話許可または拒否、適切な音楽または音響効果の選択等をするために、デバイスを制御することができる。いくつかのボタンを押すことで、装用者は、プレイヤーでの音楽を、簡単に再生、一時停止、巻き戻し、更に、音量調整ができる。
【００５０】
本発明の実施形態に基づき、衣類のシステムは、マイクのみを付けたヘッドホン、スピーカのみ、マイク付き受信器、マイク付き２つのスピーカと１つの受信器、マイクおよびスピーカ付き２つの受信器またはこれらの組合せのいずれかであり得る。
【００５１】
本発明の実施形態に基づき、本発明は、携帯電話、ポータブルオーディオプレイヤー等が便利に使いこなせる、組込型洗濯可能なスピーカ、マイク付き洗濯可能なイヤホン、洗濯可能な制御スイッチが付いた衣服を提供する。
【００５２】
発明の実施形態に基づき、本発明の衣服のシステムは、１つの衣服、少なくとも洗濯可能なスピーカ、マイク付き洗濯可能なイヤホン、洗濯可能な制御スイッチ、洗濯可能なオーディオジャック付き接続ワイヤーを含み得る。
【００５３】
本発明の実施形態に基づき、本発明は、使用者が手に持つことなく携帯電話およびポケットオーディオプレイヤーを使いこなせるようにできる。
【００５４】
本発明の実施形態に基づき、本発明は、衣服を着ている使用者が操作できる、少なくとも洗濯可能な機能的デバイスを組込んだ衣服を提供できる。
【００５５】
本発明の実施形態に基づき、本発明は、埋め込みスピーカ／イヤホン、ＭＰ−３、ブルートゥース、ソーラ式充電器等を組込んだ衣服を提供できる。
【００５６】
本発明の実施形態に基づき、本発明は、便宜性および使い勝手が良くなる、アパレルと洗濯可能な技術とを組合せる手段を提供する。
【００５７】
また、本発明の実施形態に基づき、衣服のシステムは、使用者が気に入ったデジタルデバイス用に、便利で、個別に保存するサービスを使用者に提供し得る。戦略的に配置されたポケットは、十分な大きさがあり、使用者の携帯電話、ポータブル音楽デバイス等を入れることができる。
【００５８】
本発明の多種の実施形態において、図１〜図３Ｃで参照している本明細書に説明したオペレーションは、本明細書で説明したプロセスを実行するコンピュータをプログラムするために使用した命令、または、ソフトウエア手順を保存した機械読み取り可能な、またはコンピュータ読み取り可能な記録媒体を含め、コンピュータプログラム製品として提供する、ハードウエア、ソフトウエア、ファームウェア、またはこれらの組合せなどのコンピュータデバイスで実行し得る。機械読み取り可能な記録媒体は、ストレージデバイスを含み得る。例えば、システム１０および２０コンポーネントの動作は、機械読み取り可能な記録媒体で操作される。
【００５９】
他の実施形態では、本発明の特定の実施様態を不明瞭にしないように、周知の方法、手順、コンポーネント、回路は本明細書に記載していない。また、本発明の実施様態のさまざまな側面は、集積半導体回路、１つ以上のプログラムに構築したコンピュータ読み取り可能な命令、またはハードウエアおよびソフトウエアハードのいくつかの組合せなどのさまざまな手段を用いて実施される。
【００６０】
本発明の特定の例示的な実施形態が例示目的で詳細を記載されているが、当事者は、パーツ構成の再配列、寸法および大きさの変更、形状の変化を含めて、開示された発明の変更または変形が可能であることを確認できるであろう。したがって、本発明は、本発明の範囲および精神の範囲に属し得る全ての代替手段、変形および変更を含むものである。
【００６１】
本発明の特定の実施形態に関する上記の説明は、例示および説明のために記載するものである。この発明の以上の説明は、例示および説明のために提示され、包括的なものでも開示した正確な形態に発明を限定するものでもなく、以上の開示内容の観点から明らかに様々な変形および変更が可能である。実施形態は発明の原理を最も良く説明できるように選択および記述してあり、従って、その実際の応用によって、他の当業者は想定される特定の使用に適応するように、様々な実施形態および様々な変形を伴ってこの発明を最も良く利用できる。状況により都合に合わせると、等価物の多くの省略、置換が考えられるが、本発明の範囲および趣旨から離れることなく、応用または実施を網羅することを意図している。
【図１】
2014509352.tif 000003
【図２】
2014509352.tif 000004
【図３Ａ】
2014509352.tif 000005
【図３Ｂ】
2014509352.tif 000006
【図３Ｃ】
2014509352.tif 000007
【国際調査報告】
2014509352.tif 000008
2014509352.tif 000009
2014509352.tif 000010